(57)【特許請求の範囲】
【請求項１】
車のダッシュボードまたは中央コンソール部分に取り付けるための、プラスチックブロック部材からなる車載用の携帯電話機ホルダ支持装置であって、
前記プラスチックブロック部材の第一の面に形成された、携帯電話機ホルダもしくは充電器アダプタ等を取り付けるための取付面（１０）と、
前記ダッシュボードまたは中央コンソールの該支持装置が取り付けられる部分に対応する輪郭形状を有する第二の面と、
円形の開口部を有する表面（１６）を有する第三の面と、
前記プラスチックブロック部材の前記開口部の後方に形成されるライターソケット（１８）と、
前記ライターソケット（１８）に電気的に接続され、かつ前記車の電力供給源に接続するため前記プラスチックブロックから延びる端部を有する、前記プラスチックブロック部材に形成される接続ワイヤ（２０，２２）と
を有することを特徴とする携帯電話機ホルダ支持装置。
【請求項２】
前記プラスチックブロック部材の前記ライターソケット（１８）の円形開口部を有する前記第三の面の表面（１６）が、車に取り付けられた際に下向きに位置することを特徴とする、請求項1に記載の携帯電話機ホルダ支持装置。
【請求項３】
前記プラスチックブロック部材の取付面（１０）が、車に取り付けられた際に該ブロックの携帯電話機ユーザに対向する面に形成されることを特徴とする、請求項１または２に記載の携帯電話機ホルダ支持装置。
【発明の詳細な説明】
【０００１】
【発明の属する技術分野】
本発明は、携帯電話機ホルダを車内に取り付けて支持するための装置に関し、該支持装置は、携帯電話機や充電器アダプタ等を取り付けるための面と、車内に支持装置本体を取り付けるための手段とを有する。
【０００２】
【従来の技術】
一般の車、特に自家用車は、携帯電話機ホルダを車内で安定的に保持するような装置を具備していない。この明細書において、携帯電話機ホルダとは、車内で使用する携帯電話機を取り外し可能に保持するものである。このホルダはさらに、携帯電話機のバッテリを充電するための充電器アダプタとしての機能を有することが多い。上述の携帯電話機ホルダ（充電器アダプタ）を車内に取り付けることを可能とする特別な支持部材を、この明細書では支持装置と呼び、この支持装置はこれまでも数多く市販されてきた。これらの支持装置の形状は、特定の車種に合わせてあり相互に異なるが、すべてのタイプにおいて、大体は既成の穴部を有する携帯電話ホルダを固定するための取付面と、支持装置本体を車のダッシュボード近辺であって運転手の手の届く範囲に固定するための手段とを有する。
【０００３】
携帯電話機ホルダが充電器アダプタとして機能するように作られている場合、アダプタを車の電力源に接続することが必要となる。例えば、電力源にたいする接続はダッシュボードのパネル後方で行うことができるが、この方法では少なからぬ接続作業が必要となる。そこで、広く行われている慣習としては、ほとんどの車に装備されているライタープラグのソケットに、充電器アダプタに設けられたライタープラグを差し込むことによって電力を供給している。
【０００４】
【発明が解決しようとする課題】
上述のライタープラグを使用する方法は、数々の欠点を有する。第一に、電話機ホルダがライターと離れた位置に置かれた場合、接続リードワイヤはダッシュボード上を同じ距離分延びて配置されることとなる。また、車種によっては、ライターのソケットが灰皿の下に配置されており、このような配置においては充電器アダプタのプラグをライターのソケットに差し込んだ場合、灰皿が閉まらないことがある。さらには、ライタープラグを電力供給源として使用している場合、ライターを本来の目的に使用することができなくなってしまう。
【０００５】
本発明は、上記問題を解決する車載用携帯電話機ホルダ支持装置を提案するものであって、携帯電話機に対してより簡易に電力を供給するものである。
【０００６】
【課題を解決するための手段】
本発明の携帯電話機ホルダ支持装置は、ライターソケットを具備することによって、上記課題を解決する。
つまり、携帯電話機の充電アダプタに装備されるライタープラグを、支持装置に具備されるライターソケットに差し込むことによって、長い距離ワイヤを延ばす必要もなく、直接電力を供給することができる。この方法によると、接続用のワイヤを車のライター部につなげる必要がない。さらに、ホルダ支持装置に具備されたソケットは、例えば車内用掃除機、エアポンプ、マニュアルヘッドライト等といった他の装置の追加電力源としても使用することができる。
【０００７】
このソケットは支持装置の下側に、通常の使用位置においては見えないように配置されるのが好ましい。このような形状の、取付面とライターソケットを組み込む部分とを有する支持装置は、発泡プラスチックブロックを加工することによって容易に製造することができる。
もちろん、上述のような支持装置はいかなるデザインを有するものであっても良く、その素材も、金属薄板や、射出成形プラスチック等、様々でありうる。
【０００８】
【発明の実施の形態】
図１は、発泡プラスチックのブロックからなる本発明に係る支持装置を示す。このようなタイプの支持装置は広く知られている。図に示す支持装置の正面部には、平らで長方形状の取付面１０が形成される。取付面には２つの既成の穴１２があり、特に充電器アダプタとして機能する携帯電話機ホルダを固定するために使用される。この種の携帯電話機ホルダは周知であり、ここでは図示しない。
【０００９】
本支持装置の取付面１０とは反対の部分には、顕著な曲線輪郭が形成され、その形状は取付相手であるダッシュボードやセンターコンソールの形状によって決定される。図１の奥に図示される金属薄板１４の角部は、例えば図示しないダッシュボードパネルを取り外した後支持装置をダッシュボードに対して安定的に固定するために使用される。本発明の装置は様々なデザインを採用することによってどのような車種にも対応可能なため、特定の車にこのタイプの支持装置を取り付ける方法や、車内にこの装置を固定する方法の詳細はここでは述べない。
【００１０】
図２に示すとおり、図１の支持部材は、取付面１０に加え、大きくて平らな底面１６を有し、底面１６は取り付け位置においてはほぼ水平になる。底面１６にはライターソケット１８の円形開口が形成される。ソケット１８の形状は通常のとおりである。
【００１１】
図１および図２に示す支持装置は発泡プラスチック製であり、ソケット１８を容易に形成可能である。接続ワイヤ２０、２２も同時に形成可能である。ワイヤ２０、２２は支持装置から車のダッシュボードパネルの下に延びて、そこで車の電力供給源に接続される。
【００１２】
支持装置の底面１６にソケット１８を配置する主な利点は、ソケットが使用されないときにはユーザから見えないようになっていることである。ソケットを見えない位置に配置することにより、車の運転者や同乗者が誤って指や金属物、たとえば車のキー等、をソケットに入れてしまうような事故を回避できる。
【００１３】
上述のとおり、本実施の形態で説明した支持装置の形状や素材は例示に過ぎず、本発明による支持装置は射出成形プラスチック、金属薄板、木材およびその他の様々な材料によって形成されうる。
【００１４】
【発明の効果】
本発明に係る車載用携帯電話機ホルダ支持装置は、ライターソケットを具備し、携帯電話機に対してより簡易に電力を供給することを可能とする。この方法によると、接続用のワイヤを車のライター部につなげる必要がない。さらに、ホルダ支持装置に具備されたソケットは、例えば車内用掃除機、エアポンプ、マニュアルヘッドライト等といった他の装置の追加電力源としても使用することができる。
【図面の簡単な説明】
【図１】発泡プラスチックブロックからなる車載用携帯電話機ホルダ支持装置の斜視図。
【図２】図１の携帯電話機ホルダ支持装置を下から見た状態を示す斜視図。
【符号の説明】
１０  取付面
１４  金属薄板角部
１６  底面
１８  ライターソケット
２０、２２  接続ワイヤ
【図１】
0003670545.tif 000002
【図２】
0003670545.tif 000003